(57)【要約】【課題】容器の一部にノズルキャップ収納部を設け、ノズルキャップの紛失等を防止するようにした液体噴出容器を提供すること。【解決手段】容器と、該容器の口部に取着され、吐出ノズルを具えた噴出ポンプとからなる液体噴出容器であって、吐出ノズルは、吐出口を覆うノズルキャップを具えており、容器は、吐出ノズル側の下方部分に、ノズルキャップを収納する収納部を設けたことを特徴とする。【選択図】        図１
2005022683.tif 000002
【特許請求の範囲】
【請求項１】
容器と、該容器の口部に取着され、吐出ノズルを具えた噴出ポンプとからなる液体噴出容器であって、
吐出ノズルは、吐出口を覆うノズルキャップを具えており、
容器は、吐出ノズル側の下方部分に、ノズルキャップを収納する収納部を設けたことを特徴とする液体噴出容器。
【請求項２】
ノズルキャップの収納部は、ノズルキャップ外周を挟持し、ノズルキャップの鍔部を容器より突出させるように形成されていることを特徴とする請求項１記載の液体噴出容器。
【請求項３】
ノズルキャップの収納部は、収納部の壁面に、粗面部または凸条を設けたことを特徴とする請求項１、２記載の液体噴出容器。
【発明の詳細な説明】
【０００１】
【発明の属する技術分野】
本発明は、医薬品等を噴射する液体噴出容器に関する。
【０００２】
【従来の技術】
医薬品等の噴出容器として、吐出ノズルに吐出口を塞ぐノズルキャップを嵌装した噴出容器は、従来より知られている（例えば、特許文献１参照。）。
【０００３】
【特許文献１】
実公平７−２３４１７号公報
【０００４】
【発明が解決しようとする課題】
従来の液体噴出容器は、薬品等の噴出塗布に際して、ノズルキャップを外して、卓上等に置いてから使用するので、卓上等に置いたノズルキャップが転がったりして、ノズルキャップが汚れたり、紛失したりするおそれがあった。
【０００５】
本発明は、上記問題を解決することを課題として、容器の一部にノズルキャップ収納部を設け、ノズルキャップの紛失等を防止するようにした液体噴出容器を提供することを目的とする。
【０００６】
【課題を解決するための手段】
本発明は、上記の課題を解決するため、液体噴出容器として、容器と、該容器の口部に取着され、吐出ノズルを具えた噴出ポンプとからなる液体噴出容器であって、吐出ノズルは、吐出口を覆うノズルキャップを具えており、容器は、吐出ノズル側の下方部分に、ノズルキャップを収納する収納部を設けたことを特徴とする構成を採用する。
【０００７】
収納部の具体的な実施態様として、ノズルキャップの収納部は、ノズルキャップ外周を挟持し、ノズルキャップの鍔部を容器より突出させるように形成されていることを特徴とする構成、また、ノズルキャップの収納部は、収納部の壁面に、粗面部または凸条に設けたことを特徴とする構成を採用する。
【０００８】
【発明の実施の形態】
次に、本発明の実施形態について図面を参照して説明する。
図１、２に示すように、本発明の液体噴出容器は、噴出ポンプ１と容器２とから構成されている。
【０００９】
噴出ポンプ１は、公知のものと同様のポンプ部（図示せず）、容器２の口部３に噴出ポンプ１を取着する取付キャップ４、吐出ヘッド５、該吐出ヘッド５に突設された吐出ノズル６とから構成されている。
【００１０】
吐出ヘッド５は、前記特許文献１に記載されたものと同様に、一定位置において上下動可能であり、したがって、吐出ノズル６は、使用時には、一定の方向に位置決めされる。
吐出ノズル６は、先端に吐出口７を有しており、根本部に環状突条８が設けられている。
吐出ノズル６には、吐出口７を塞ぎ、吐出ノズル６を覆うノズルキャップ９が嵌着されている。
【００１１】
ノズルキャップ９は有底筒体で、底部の吐出口７側の外端に鍔１０を、筒内端側には、吐出ノズル６に被着された時、吐出ノズル６の環状突条８に嵌合する環状凹溝（図示せず）が内面側に設けられている。
【００１２】
容器２は、図に示すように、横断面円形状の胴部１１と底部１２を具えており、胴部１１の下方部と、底部１２の一部をくり抜いてノズルキャップ９を収納する収納部１３が、使用時における吐出ノズル６の下方に設けられている。
容器２の横断面は、楕円形状となっているものでもよい。
【００１３】
収納部１３は、ノズルキャップ９外周を挟持できる形状であればよく、その横断面は、円形、楕円形その他角形であってもよい。
収納部１３の内壁面には、粗面部または凸条１４等が設けられている。
凸条１４は、収納時のノズルキャップ９の横断面の直径より外側に位置するように設けられている。
【００１４】
図３に示すように、ノズルキャップ９の鍔１０部は、ノズルキャップ９の収納時には、容器２の下面から突出している。
【００１５】
次に、本実施形態の液体噴出容器の作用効果について説明する。
図３に示すように、吐出ノズル６よりノズルキャップ９を外し、容器２の下方の収納部１３に鍔１０を下に向けて、取外したノズルキャップ９を押込んで収納させる。
吐出ヘッド５は、定位置で上下動可能に位置決めされるので、吐出ノズル６をその定位置で咽喉に向け、吐出ヘッド５を指で押圧すれば、薬剤を咽喉に直接塗布することができる。
【００１６】
使用時には、容器２の吐出ノズル６下方部分にノズルキャップ９が収納されるので、噴出塗布する時に、ノズルキャップ９が全く邪魔にならず、噴出塗布中に落下することもなく、また、収納部１３に挟持されているので、ノズルキャップ９が転がって、汚れたり、紛失したりすることはない。
【００１７】
また、収納部１３の内壁面には、粗面部または凸条１４等が設けられており、さらに凸条１４は、収納時のノズルキャップ９横断面の直径より外側に位置するように設けられているので、ノズルキャップ９は、容器２に確実に保持できるようになっている。
【００１８】
また、ノズルキャップ９の鍔１０は、容器２下面より突出しているので、容器２に対し、ノズルキャップ９を容易に収納したり、外したりすることができる。
【００１９】
前記実施形態では、ノズルキャップの収納部１３をノズルキャップ９を直立させる方向に収納するよう配設したが、図４に示すようにノズルキャップ９を横方向にして収納するようにしてもよい。
【００２０】
図４において、１３ａは、ノズルキャップ９の収納部であり、容器２の底部１２から穿設され、横方向に延びる凹部１５によって形成されている。
凹部１５の横断面は、隅部を円弧としたほぼ角形状であり、ノズルキャップ９の外周は、凹部１５の両側壁１５ａによって挟持されるようになっている。
ノズルキャップ９の収納にあたっては、底面１２の下方からノズルキャップ９周面を押し込み、鍔１０を胴部１１の周面に接するよう収納する。
【００２１】
また、収納部１３ａを胴部の中央部に設けてもよい。その場合には凹部は胴部表面から穿孔された円形の穴として形成される。
また、胴部に限らず、胴部上方部と肩部にかけて収納部を設けてもよい。
これらのいずれの場合にも、前記実施形態のものと同様な作用効果を得ることができる。
【００２２】
【発明の効果】
本発明は、上記のように構成されているから、次の効果を奏する。
吐出ノズル側の容器の下方にノズルキャップの収納部を設け、ノズルキャップを収納することができる。
薬剤を咽喉等に噴出塗布する時、吐出ノズルを定位置に廻動し、噴出方向に向けた後に、ノズルキャップを片手で簡単に収納することができる。
操作時にはノズルキャップが全く邪魔にならず、しかもノズルキャップが転がったりして、汚れることもなく、さらに、紛失のおそれもなくなった。
【図面の簡単な説明】
【図１】本発明実施形態に係る液体噴出容器の斜視図である。
【図２】液体噴出容器の一部縦断正面図である。
【図３】ノズルカバー収納時の液体噴出容器の一部縦断正面図である。
【図４】別実施形態の液体噴出容器の一部縦断正面図である。
【符号の説明】
１    噴出ポンプ
２    容器
３    口部
４    取付キャップ
５    吐出ヘッド
６    吐出ノズル
７    吐出口
８    環状突条
９    ノズルキャップ
１０  鍔
１１  胴部
１２  底部
１３、１３ａ  収納部
１４  凸条
１５  凹部
１５ａ  両側壁
【図１】
2005022683.tif 000003
【図２】
2005022683.tif 000004
【図３】
2005022683.tif 000005
【図４】
2005022683.tif 000006